(57)【要約】【課題】  鍋等の調理器具をシンク底面に載せても、排水に際して何等の支障がなく、美観に優れ、排水口近傍の掃除等の手入れが簡単で、操作性においても優れたシンクを提供する。【解決手段】  周囲を内壁面１で包囲されたシンク底面２に、内壁面１に沿った排水溝部３と、裏側に排水トラップ４を設けた平面部５と、排水溝部３と平面部５との間に介在する傾斜底面部７とを具備するシンクＡにおいて、傾斜底面部７に、排水を排水トラップ４に導く排水口８を設ける一方、排水口８を閉塞可能な底面蓋部９を有するので、鍋６ａ等の調理器具６をシンク底面２に載せても、排水に際しても何等の支障を生ずることなく、優れた美観をも確保し得る。また、底面蓋部９が排水口８を開閉可能なスライド式開閉扉１０を有するので、排水口８近傍の掃除等の手入れが簡単で、優れた操作性を確保し得ることとなる。【選択図】図１
2006083580.tif 000002
【特許請求の範囲】
【請求項１】
周囲を内壁面で包囲されたシンク底面に、前記内壁面に沿った排水溝部と、裏側に排水トラップを設けた平面部と、前記排水溝部と前記平面部との間に介在する傾斜底面部とを具備するシンクにおいて、前記傾斜底面部に、排水を前記排水トラップに導く排水口を設ける一方、前記排水口を閉塞可能な底面蓋部を有することを特徴とするシンク。
【請求項２】
前記底面蓋部が、前記排水口を開閉可能なスライド式開閉扉を有することを特徴とする請求項１記載のシンク。
【発明の詳細な説明】
【技術分野】
【０００１】
本発明は、例えば、キッチンユニットに使用可能なシンクに関するものである。
【背景技術】
【０００２】
従来、シンクの排水口は通常、平坦なシンク底面に設けられていた。その結果、鍋等の調理器具をかかる平坦なシンク底面に載せた場合、これらによりシンク底面の上記排水口が塞がれてしまうという問題点があった。また、最近の清潔志向のニーズの高まり等により、排水口近傍の汚れ等が敬遠されるなか、排水口近傍の掃除等の手入れが簡単で、意匠性に優れたシンクが求められている。
【０００３】
かかる問題点、或いは、要望に対応するために、例えば、特開平１０−１８３８１号公報に開示するように、シンク底面にシンク内壁面に沿った排水溝部を形成し、排水口をこの排水溝部に臨んで設けたシンク等が知られている。
【０００４】
しかし、このような構造を有するシンクにおいても、排水口が露出しており、排水状態、止水状態の制御を充分に行うことができず、また、美観上の観点からも、さらなる改良の余地を残すものであった。
【特許文献１】特開平１０−１８３８１号公報
【発明の開示】
【発明が解決しようとする課題】
【０００５】
本発明は、上記背景技術に鑑みて発明されたものであり、その課題は、鍋等の調理器具をシンク底面に載せても、排水に際して何等の支障がないことは勿論、美観に優れ、排水口近傍の掃除等の手入れが簡単で、操作性においても優れたシンクを提供することにある。
【課題を解決するための手段】
【０００６】
上記課題を解決するために、請求項１に係る発明のシンクにあっては、周囲を内壁面で包囲されたシンク底面に、前記内壁面に沿った排水溝部と、裏側に排水トラップを設けた平面部と、前記排水溝部と前記平面部との間に介在する傾斜底面部とを具備するシンクにおいて、前記傾斜底面部に、排水を前記排水トラップに導く排水口を設ける一方、前記排水口を閉塞可能な底面蓋部を有することを特徴とするものである。
【０００７】
請求項２に係る発明のシンクにあっては、請求項１記載のシンクにおいて、前記底面蓋部が、前記排水口を開閉可能なスライド式開閉扉を有することを特徴とするものである。
【発明の効果】
【０００８】
本発明のシンクでは、周囲を内壁面で包囲されたシンク底面に、前記内壁面に沿った排水溝部と、裏側に排水トラップを設けた平面部と、前記排水溝部と前記平面部との間に介在する傾斜底面部とを具備するシンクにおいて、前記傾斜底面部に、排水を前記排水トラップに導く排水口を設ける一方、前記排水口を閉塞可能な底面蓋部を有するので、鍋等の調理器具をシンク底面に載せても、排水に際しても何等の支障を生ずることなく、優れた美観をも確保し得ることとなる。
【０００９】
また、本発明のシンクでは、前記底面蓋部が前記排水口を開閉可能なスライド式開閉扉を有するので、上記に加えて、排水口近傍の掃除等の手入れが簡単で、優れた操作性を確保し得ることとなる。
【発明を実施するための最良の形態】
【００１０】
以下、本発明の実施形態を図面に基づき説明する。なお、本発明のシンクは、下記の実施形態にのみ限定されるものではなく、本発明の要旨を逸脱しない範囲内において種々変更を加え得ることは勿論である。ここで、図１は、本発明の一実施形態であるシンクＡの概略を模式的に示すもので、（ａ）は、斜視図、（ｂ）は、調理器具６である鍋６ａをシンク底面２に載せた場合における（ａ）のＸ‐Ｘ‘における断面図である。一方、図２は、本発明の一実施形態であるシンクＡにおける底面蓋部９の概略を模式的に示す斜視図である。
【００１１】
すなわち、本実施形態のシンクＡは、図１に示すように、周囲を内壁面１で包囲されたシンク底面２に、前記内壁面１に沿った排水溝部３と、裏側に排水トラップ４を設けた平面部５と、排水溝部３と平面部５との間に介在する傾斜底面部７とを具備するシンクである。さらに、本実施形態のシンクＡにおいては、傾斜底面部７に、排水を排水トラップ４に導く排水口８を設ける一方、この排水口８を閉塞可能な底面蓋部９を有するものである。
【００１２】
この結果、例えば、鍋６ａ等の調理器具６をシンク底面２に載せても、本実施形態のシンクＡにおいては、排水口８が、鍋６ａ等と直接、接触することのない傾斜底面部７に設けられているため、排水に際して、何等の支障を生ずることがない。
【００１３】
また、本実施形態のシンクＡにおいては、この排水口８を閉塞可能な底面蓋部９を有するので、上記従来例の場合等と異なり、排水口８が露出することなく、良好な美観をも確保でき、意匠性にも優れたシンクであるといえる。
【００１４】
一方、本発明のシンクでは、図２に示すように、前記底面蓋部９が排水口８を開閉可能なスライド式開閉扉１０を有するので、排水状態、止水状態の制御を、簡便に、且つ、木目細かく行うことが可能となる。その結果、例えば、排水中に浮遊するゴミの大きさに応じて、スライド式開閉扉１０の開閉レベルを簡便に、且つ、木目細かく、調整し得るので、ゴミが排水口８近傍で詰まる等の不具合を効果的に回避でき、排水口８近傍の掃除等の手入れが簡単で、結果的には、優れた操作性を確保し得ることとなる。
【００１５】
以上のように、本発明のシンクでは、周囲を内壁面で包囲されたシンク底面に、前記内壁面に沿った排水溝部と、裏側に排水トラップを設けた平面部と、前記排水溝部と前記平面部との間に介在する傾斜底面部とを具備するシンクにおいて、前記傾斜底面部に、排水を前記排水トラップに導く排水口を設ける一方、前記排水口を閉塞可能な底面蓋部を有するので、鍋等の調理器具をシンク底面に載せても、排水に際しても何等の支障を生ずることなく、優れた美観をも確保し得ることとなる。
【００１６】
また、本発明のシンクでは、前記底面蓋部が前記排水口を開閉可能なスライド式開閉扉を有するので、上記に加えて、排水口近傍の掃除等の手入れが簡単で、優れた操作性を確保し得ることとなる。
【図面の簡単な説明】
【００１７】
【図１】本発明の一実施形態であるシンクＡの概略を模式的に示すもので、（ａ）は、斜視図、（ｂ）は、調理器具６である鍋６ａをシンク底面２に載せた場合における（ａ）のＸ‐Ｘ‘における断面図である。
【図２】本発明の一実施形態であるシンクＡにおける底面蓋部９の概略を模式的に示す斜視図である。
【符号の説明】
【００１８】
１    内壁面
２    シンク底面
３    排水溝部（シンク底面２）
４    排水トラップ
５    平面部（シンク底面２）
６    調理器具
６ａ  鍋
７    傾斜底面部（シンク底面２）
８    排水口（傾斜底面部７）
９    底面蓋部
１０    スライド式開閉扉
Ａ      シンク
【図１】
2006083580.tif 000003
【図２】
2006083580.tif 000004